(57)【特許請求の範囲】
【請求項１】
（ａ）ランダムアクセス可能な記憶媒体を用いるマルチトラックレコーダの複数トラックを、・音楽パート録音用トラックと、・少なくとも２グループ以上のミックスダウン録音用トラックと、に各トラック数を変更可能に区分するステップと、（ｂ）前記音楽パート録音用トラックのそれぞれに音楽信号群を録音するとともに、該音楽信号を記憶手段のセーブ領域に再生可能に保存するステップと、（ｃ）録音が済んだ前記音楽パート録音用トラックを再生し、ミックスダウンを施した音楽信号を前記ミックスダウン録音用トラックの一つのグループに録音するステップと、（ｄ）前記音楽パート録音用トラックに録音された前記音楽信号群とは異なる音楽信号群について、前記（ｂ）および（ｃ）の処理を行うステップと、（ｅ）必要に応じて前記セーブ領域から音楽信号群を読み出し、前記音楽パート録音用トラックに再生可能にロードするステップと、を行うことを特徴とする、マルチトラックレコーダにおけるピンポン録音の方法。
【請求項２】
前記セーブ領域から読み出し、前記音楽パート録音用トラックに再生可能にロードする音楽信号群は、前記セーブ領域に保存された２以上の音楽信号群から任意に選択した音楽信号により構成することができることを特徴とする、請求項１記載のマルチトラックレコーダにおけるピンポン録音の方法。
【請求項３】
前記セーブ領域には、・前記音楽パート録音用トラックの一つに対応する前記音楽信号と、・前記音楽パート録音用トラックの一つに対応するトラック編集情報とが関連付けされて保存され、必要に応じて両方共読み出されることを特徴とする、請求項１または２に記載のマルチトラックレコーダにおけるピンポン録音の方法。
【請求項４】
（ａ）ランダムアクセス可能な記憶媒体上に録音及び再生が可能な複数のトラックを構成し、前記複数のトラックは・音楽パート録音用トラックと、・少なくとも２グループ以上のミックスダウン録音用トラックと、に各トラック数を変更可能に区分できるものであって、各トラックに形成された録音済みデータを任意に差し替えることが可能なマルチトラックレコーダ手段と、（ｂ）前記マルチトラックレコーダ手段の複数のトラックの再生信号をミキシングする第１のミキサー手段と、（ｃ）前記マルチトラックレコーダ手段の複数のトラックの再生信号のうち、前記第１のミキサー手段の入力側に供給されていない残りの出力信号と、前記第１のミキサー手段の出力信号とをミキシングする第２のミキサー手段と、で構成されていることを特徴とするマルチトラックレコーダ装置。
【請求項５】
前記第１のミキサー手段の出力信号は、前記トラック領域に入力可能とされていることを特徴とする請求項４に記載のマルチトラックレコーダ装置。
【請求項６】
前記第１のミキサー手段の入力側は、前記トラックのうち、音楽パート録音用トラックが接続され、前記第２のミキサー手段の入力側の一部は、前記トラックのうち、１グループが２トラック以上よりなる、少なくとも２グループ以上のミックスダウン録音用トラックに接続されることを特徴とする請求項４又は５に記載のマルチトラックレコーダ装置。
【請求項７】
マルチトラックレコーダ手段と、第１、第２のミキサー手段の接続を変更する接続制御手段を有していることを特徴とする請求項５または６に記載のマルチトラックレコーダ装置。
【請求項８】
（ａ）ランダムアクセス可能な記憶媒体上に録音及び再生が可能な複数のトラックを構成し、前記複数のトラックは・音楽パート録音用トラックと、・少なくとも２グループ以上のミックスダウン録音用トラックと、に各トラック数を変更可能に区分できるものであって、各トラックに形成された録音済みデータを任意に差し替えることが可能なマルチトラックレコーダ手段と、（ｂ）前記マルチトラックレコーダ手段の複数のトラックの再生信号をミキシングする第１のミキサー手段と、（ｃ）前記マルチトラックレコーダ手段の複数のトラックの再生信号のうち、前記第１のミキサー手段の入力側に供給されていない残りの出力信号と、前記第１のミキサー手段の出力信号とをミキシングする第２のミキサー手段と、（ｄ）前記マルチトラックレコーダ手段の録音済みデータの差し替えと、前記マルチトラックレコーダ手段と前記第１及び第２のミキサー手段との入出力信号の結線の形態を制御する制御手段とで構成されていることを特徴とするマルチトラックレコーダ装置。
【発明の詳細な説明】
【０００１】
【発明の属する技術分野】
本発明は主に音楽の多重録音に用いられるマルチトラックレコーダに関する。より詳細には、マルチトラックレコーダが備えるトラック数より多い数の音楽パートで構成される音楽信号を録音する為の、ピンポン録音の方法及び同装置に関するものである。
【０００２】
【従来の技術】
音楽の制作現場において、マルチトラックレコーダによる多重録音は必要不可欠である。楽曲を構成する各楽器の音を、夫々個別のトラックに録音し、制作者（ミキシングエンジニア）が全体のバランスを考慮しながら各楽器の音量バランスを調整し、最終的に２チャンネルステレオの楽曲を作成する。（ミックスダウン）
なお、このミキシング作業において、必要に応じて特定の信号にエコーやリバーブ、或いはコーラスモジュレーション等の、周知の所定の音響効果を加える（エフェクト処理）こともしばしば行われる。
このような音楽の多重録音は、例えばドラム・ベース・ギター・キーボード等の各演奏者が録音スタジオ内に集合し、バンド形式で演奏した音を一度に録音する。俗に「一発録り（いっぱつどり）」と呼ばれる手法も用いられるが、多くは各楽器演奏者が個別に録音される場合が多い。
楽曲のリズムを司るパートから録音を始め、次の演奏者は直前に録音された音を聞いて、リズムを合わせながら所定の楽器を演奏し、それを録音する、という方法である。
例えば、先ずリズム楽器であるドラムがドラムの演奏者（ドラマー）によって演奏され、これが録音される。
次に、マルチトラックレコーダを操作し、先に録音されたドラムの音を再生しながら、別のトラックでベースの音を録音する。
ベースの演奏者（ベーシスト）は、マルチトラックレコーダが再生するドラムの音を聞きながらリズムを合わせてベースを演奏し、これが録音される。
次にギターの演奏者（ギタリスト）は、マルチトラックレコーダが再生するドラムとベースの音を聞きながらリズムを合わせてギターを演奏し、これが録音される。
以下、同様の作業を各楽器毎に繰り返し行うことにより、各楽器が各トラック毎に録音される。
このようなマルチトラックレコーダを使用した音楽作品制作において、楽器等の音源数に対してマルチトラックレコーダのトラック数が不足している場合に用いる録音の手法として、「ピンポン録音」と呼ばれる周知の方法がある。
【０００３】
先ず、図７に基づいて、１６トラックの磁気テープ式マルチトラックレコーダ５１と、１６入力２チャンネル出力のミキサー５２と、２チャンネルステレオマスターレコーダ５３を使って、通常の録音方法により音楽作品を製作する場合を説明する。
音楽作品の楽器（音楽）パートが１６パート以下である場合は、先ず、マルチトラックレコーダの各トラックと各楽器パートに対応する音楽信号を一対一で対応させて別個に録音する。次に、それらを同時に再生してミキサー５２でミキシングし、２チャンネルステレオ信号にまとめて、マスターレコーダ５３に録音する。この作業をミックスダウンと呼んでいる。
【０００４】
しかし、この録音方法では、マルチトラックレコーダのトラック数よりも多い楽器パート数の音楽作品を録音することができない。
これを解決する方法として二つの方法が知られている。
一つは複数台のマルチトラックレコーダを同期運転させ、同時録音／再生可能なトラック数を物理的に増やす方法である。
もう一つは、これから述べるピンポン録音と呼ばれる手法である。
ピンポン録音は、マルチトラックレコーダの複数トラックに、該トラック数より数の多い音楽パートからなる音楽信号を録音する際に、マルチトラックレコーダのトラック数よりも少ない数の音楽パートを前記トラックに録音し、これらをミックスダウンして空きトラックに録音し、ミックスダウンした音楽パートが録音されていたトラックに残りの音楽パートを各々録音し、最後にトラックにある音楽信号をミキシングする方法である。
【０００５】
以下に、図８に基づいて具体的に説明する。すなわち、１６トラックのマルチトラックレコーダ５１で、１７パート以上（ここでは２８パート）の楽器パートを録音する場合の手順を次に説明する。
（ステップ１）
マルチトラックレコーダの第１〜１４トラックに、第１〜１４パートを別個に録音する。第１５、１６トラックは空きトラックである。
（ステップ２）
録音した第１〜１４パートを再生し、ミックスダウンして、第１５、１６トラックに録音する。
（ステップ３）
第１〜１４トラックに録音した第１〜１４パートの音楽信号を消去した上で、新たに第１５〜２８パートを録音する。
（ステップ４）
第１５、１６トラックと、第１〜１４トラックに録音した第１５〜２８パートを同時に再生し、ミキサー５２によりミックスダウンして２チャンネルの音楽信号を得て、これをマスターレコーダ５３に録音する。
これにより、１６トラックのマルチトラックレコーダを用いて２８音楽パートの音楽信号をミキシングすることが可能になる。
【０００６】
一方、録音媒体にハードディスクを利用したマルチトラックレコーダがある。このハードディスク方式のマルチトラックレコーダは、音声波形をデジタルデータに変換し、ファイルとしてハードディスクに記録するものであり、記録容量に余裕があるかぎり、新しいデータを記録する時に古いデータを消去する必要はないものである。したがって、ハードディスク方式のマルチトラックレコーダを使ったピンポン録音では、上記ステップ３の作業を行う前に、第１〜１４パートを録音した各ファイルをトラックとは別にセーブ領域にセーブしておけば、後で、ミキシングをやり直すことは可能となる。
【０００７】
以下に、１６トラックのハードディスク方式のマルチトラックレコーダ５５で２８パートの楽器パートをピンポン録音する手順を図９、１０に基づいて具体的に説明する。
（ステップ１）
第１〜１４トラックに、第１〜１４パートを別個に録音する。第１５、１６トラックは空きトラックである。
（ステップ２）
第１〜１４トラックを同時に再生し、ミックスダウンして、第１５、１６トラックに録音する。
（ステップ３）
第１〜１４トラックに録音した第１〜１４パートの音楽データをハードディスクのセーブ領域にセーブし、第１〜１４トラックの設定は白紙に戻して新たに録音できるようにする。
（ステップ４）
第１〜１４トラックに第１５〜２８パートを別個に録音する。
（ステップ５）
第１〜１４パートをミックスダウンして録音した第１５、１６トラックと、第１５〜２８パートを録音した第１〜１４トラックを同時に再生し、ミキシングして２チャンネルステレオにまとめ、マスターレコーダ５３にミックスダウンする。これで、とりあえず音楽作品が完成する。
【０００８】
（ステップ６）
マスターレコーダ５３を再生して音楽作品を聞き直してチェックする。もし、第１５〜２８パートのミキシングバランスに不満を感じた場合は、ステップ５のミックスダウンをやり直す。また、第１〜１４パートのミキシングバランスに不満を感じた場合はステップ７に進む。
（ステップ７）
第１〜１４トラックに録音した第１５〜２８パートの音声データをハードディスクのセーブ領域にセーブし、ステップ３でセーブ領域にセーブした第１〜１４パートの音楽データを第１〜１４トラックにロードする。
（ステップ８）
第１５、１６トラックの音楽データは破棄して、第１５、１６トラックを新たに録音ができるようにした上で、第１〜１４トラックを同時に再生し、ミックスダウンをやり直して第１５、１６トラックに録音する。
（ステップ９）
第１〜１４トラックに、ステップ７でセーブ領域にセーブした第１５〜２８パートの音楽データをロードした上でステップ５と同様に最終ミキシングの作業をやり直す。
（ステップ１０）
マスターレコーダを再生し、音楽作品を聞き直してチェックする。作品に不満が無ければ完成となる。もしミキシングに不満がある場合はステップ６の作業を繰り返し行う。
【０００９】
【発明が解決しようとする課題】
しかし、以上のような、磁気テープを録音媒体としたマルチトラックレコーダを用いたピンポン録音およびハードディスクを録音媒体としたマルチトラックレコーダを用いたピンポン録音の方法には以下のような問題点がある。
すなわち、磁気テープ式のマルチトラックレコーダ（アナログ／デジタルに拘わらず）でピンポン録音を行う場合は、そのステップ３で新たに第１５〜２８パートを録音する時に、第１〜１４パートの録音を消去せざるを得ない。そのため、ステップ４の作業を終えた後で、マスターレコーダに録音された音楽作品を聞き直し、その時点で、ステップ２で行ったミキシングのバランスの不具合に気付いても、ミキシングをやり直すことは不可能である。
【００１０】
一方、ハードディスク方式のマルチトラックレコーダでピンポン録音を行う場合は、そのステップ２および８で、第１〜１４パートをミックスダウンする時、第１５〜２８パートの音を聞くことができないため、後に加わる第１５〜２８パートの音を想定しながら第１〜１４パートのミックスダウンを行わなければならない。ステップ２の作業段階では、未だ第１５〜２８パートは録音していないので、その音が聞けないのは仕方がないが、ステップ８の作業の段階では、第１５〜２８パートは録音してあり、音楽データファイルはハードディスクにセーブされているのに拘わらずである。
【００１１】
そもそも、ステップ８の作業はステップ２の作業で第１５〜２８パートの音を聞くことができず、それを想像しながら第１〜１４パートのミキシングを行ったため、ステップ６のチェックでミキシングバランスに不具合に気付き、ミックスダウンのやり直しを行うことになったものである。そのやり直しのミックスダウンで、やはり、第１５〜２８パートの音を聞くことができないのであれば、再び同じミスを繰り返してしまう恐れがある。
【００１２】
このように、従来のピンポン録音の方法では、録音した全てのパートを聞きながらミキシング作業ができなかったので、ミックスダウンには勘と経験が必要であった。また、経験のあるミキシングエンジニアでも、ミックスダウンの失敗による作業のやり直しのリスクと背中合わせであり、そのリスクを避けるためには、結局、ピンポン録音をしなくても良いように、より多トラックのマルチトラックレコーダ、多入力のミキサーを用意することとなり、スタジオ機器の費用の増加を招いていた。
【００１３】
この発明は斯かる問題点に鑑みてなされたもので、全てのパートの音を聞きながらミキシング作業を行うことができるピンポン録音の方法と装置を提供することを目的としている。
【００１４】
【課題を解決するための手段】
上記課題を解決するため、本発明のピンポン録音の方法のうち、請求項１に記載の発明は、（ａ）ランダムアクセス可能な記憶媒体を用いるマルチトラックレコーダの複数トラックを、・音楽パート録音用トラックと、・少なくとも２グループ以上のミックスダウン録音用トラックと、に各トラック数を変更可能に区分するステップと、（ｂ）前記音楽パート録音用トラックのそれぞれに音楽信号群を録音するとともに、該音楽信号を記憶手段のセーブ領域に再生可能に保存するステップと、（ｃ）録音が済んだ前記音楽パート録音用トラックを再生し、ミックスダウンを施した音楽信号を前記ミックスダウン録音用トラックの一つのグループに録音するステップと、（ｄ）前記音楽パート録音用トラックに録音された前記音楽信号群とは異なる音楽信号群について、前記（ｂ）および（ｃ）の処理を行うステップと、（ｅ）必要に応じて前記セーブ領域から音楽信号群を読み出し、前記音楽パート録音用トラックに再生可能にロードするステップと、を行うことを特徴とする。
【００１５】
請求項２記載のピンポン録音の方法は、請求項１記載の発明において、前記セーブ領域から読み出し、前記音楽パート録音用トラックに再生可能にロードする音楽信号群は、前記記録媒体に保存された２以上の音楽信号群から任意に選択した音楽信号により構成することができることを特徴とする。
【００１６】
請求項３記載のピンポン録音の方法は、請求項１または２に記載の発明において、前記セーブ領域には、
・前記音楽パート録音用トラックの一つに対応する前記音楽信号と、
・前記音楽パート録音用トラックの一つに対応するトラック編集情報と
が関連付けされて保存され、必要に応じて両方共読み出されることを特徴とする。
【００１７】
請求項４記載のマルチトラックレコーダ装置は、（ａ）ランダムアクセス可能な記憶媒体上に録音及び再生が可能な複数のトラックを構成し、前記複数のトラックは・音楽パート録音用トラックと、・少なくとも２グループ以上のミックスダウン録音用トラックと、に各トラック数を変更可能に区分できるものであって、各トラックに形成された録音済みデータを任意に差し替えることが可能なマルチトラックレコーダ手段と、（ｂ）前記マルチトラックレコーダ手段の複数のトラックの再生信号をミキシングする第１のミキサー手段と、（ｃ）前記マルチトラックレコーダ手段の複数のトラックの再生信号のうち、前記第１のミキサー手段の入力側に供給されていない残りの出力信号と、前記第１のミキサー手段の出力信号とをミキシングする第２のミキサー手段と、で構成されていることを特徴とする。
【００１８】
請求項５記載のマルチトラックレコーダ装置は、請求項４記載の発明において、前記第１のミキサー手段の出力信号は、前記トラック領域に入力可能とされていることを特徴とする。
【００１９】
請求項６記載のマルチトラックレコーダ装置は、請求項４又は５に記載の発明において、前記第１のミキサー手段の入力側は、前記トラックのうち、音楽パート録音用トラックが接続され、
前記第２のミキサー手段の入力側の一部は、前記トラックのうち、１グループが２トラック以上よりなる、少なくとも２グループ以上のミックスダウン録音用トラックに接続されることを特徴とする。
【００２０】
請求項７記載のマルチトラックレコーダ装置は、請求項５又は６に記載の発明において、マルチトラックレコーダ手段と、第１、第２のミキサー手段の接続を変更する接続制御手段を有していることを特徴とする。
【００２１】
請求項８記載のマルチトラックレコーダ装置は、（ａ）ランダムアクセス可能な記憶媒体上に録音及び再生が可能な複数のトラックを構成し、前記複数のトラックは・音楽パート録音用トラックと、・少なくとも２グループ以上のミックスダウン録音用トラックと、に各トラック数を変更可能に区分できるものであって、各トラックに形成された録音済みデータを任意に差し替えることが可能なマルチトラックレコーダ手段と、（ｂ）前記マルチトラックレコーダ手段の複数のトラックの再生信号をミキシングする第１のミキサー手段と、（ｃ）前記マルチトラックレコーダ手段の複数のトラックの再生信号のうち、前記第１のミキサー手段の入力側に供給されていない残りの出力信号と、前記第１のミキサー手段の出力信号とをミキシングする第２のミキサー手段と、（ｄ）前記マルチトラックレコーダ手段の録音済みデータの差し替えと、前記マルチトラックレコーダ手段と前記第１及び第２のミキサー手段との入出力信号の結線の形態を制御する制御手段とで構成されていることを特徴とする。
【００２２】
すなわち、請求項１記載の発明によれば、各音楽パート群に対応してミックスダウン録音用トラックが確保されており、各音楽パート群毎のミックスダウン音楽信号を随時再生することができる。そして、ミックスダウンに供した音楽信号は、記憶手段のセーブ領域にセーブされるので、適宜読み出してトラックに戻し、再生することができる。そして、ミキシングのやり直しを行う際には、上記のセーブ領域にセーブされた音楽信号のうち、調整を行いたい音楽パート群を読み出して音楽パート録音用トラックに戻す。このトラックの音楽信号と、他の音楽パートであってミックスダウン録音用トラックに録音された音楽信号とを再生して、音量調整やエフェクト処理等の編集を行い、最終的なミキシングを行うことができる。すなわち、ミキシングのやり直しが、既にミキシングを終えたパートの音楽信号を使い、これを再生しながら行えるので、ミキシングの失敗を少なくすることができる。
【００２３】
なお、本発明におけるマルチトラックレコーダのトラック数は特に限定されるものではないが、２チャンネルステレオの音楽作品を得る場合には、９トラック以上において特に有効な効果が得られる。該レコーダは、ランダムアクセス可能な記録媒体を備えるものであり、該記録媒体は、音楽パート録音用トラック領域と、ミックスダウン録音用トラック領域とミックスダウンを終えた音楽パート群の音楽信号を記録する記録容量が必要である。また、該記録媒体を記憶手段に兼用し、そのセーブ領域にミックスダウンに供した音楽信号を保存する場合には、この保存に必要な記録容量をさらに必要とする。ここでセーブ領域とは、前記トラック領域とは独立して存在可能であり、トラック領域への音楽信号の録音の有無に拘わらず、記録した音楽信号を維持できる領域である。上記トラック領域やセーブ領域は、物理的に記録媒体でのアドレスが固定された状態で存在するものである必要はなく、その存在、記録内容を維持できるものであればアドレスが変動するものであってもよい。なお、記憶手段として、上記記憶媒体とは別の記録媒体を用意し、この別の記録媒体にセーブ領域を確保するものであってもよい。上記のランダムアクセス可能な記録媒体としては代表的にはハードディスクを示すことができるが、本発明としては特定の媒体に限定されるものではなく、ＺＩＰ、ＭＤ、ＣＤ−ＲＷ、ＤＶＤ、ＭＯ、ＲＡＭやフラッシュメモリ等の適宜の媒体を選定することができる。
【００２４】
なお、マルチトラックレコーダのトラックに録音する音楽信号のパート数が、該レコーダのトラック数より多い場合、該音楽信号は、複数の信号群に分割して上記操作を行うことになる。この際の分割数は、音楽パート数とトラック数とを基に定められる。通常は、２つの群に分割する。この場合には、ミックスダウン録音用トラックとしては２つの音楽信号群に対応する２グループをそれぞれ確保しておく。また、３つの群に分割した場合には、ミックスダウン録音用トラックとしては３つの音楽信号群に対応する３グループをそれぞれ確保しておく。なお、ミックスダウンした音楽信号が左右２チャンネルである場合には、一つのミックスダウン信号用として２つのトラックを使用する。したがって、通常の音楽信号は２チャンネル以上であることから、ミックスダウン録音用トラックの一グループは２トラック以上からなる。
【００２５】
また、ミキシングのやり直しの際には、記録手段に記録した音楽信号をトラックに戻して、そのまま再生する他、これをミックスダウンしてミックスダウン録音用トラックに記録することもできる。この場合には、既に該トラックに記録されていたミックスダウン音楽信号と置き換える形で記録する。すなわち、先の信号に上書きしてもよく、また、先の信号を一旦消去した後、新たに記録してもよい。この新たにミックスダウンした信号は、さらに安全な領域からトラックに戻された他のパートの音楽信号とともに再生して最終的なミキシングに供することができる。
【００２６】
また、本発明では、請求項２に記載するように、一旦、定めた音楽信号群について、音楽信号の組み合わせを変えてミキシングのやり直しを行うことができる。この際には、セーブ領域に記録されている音楽信号のうち、所望の組み合わせで複数の音楽信号を選択し、これをトラックに戻す。この際に、ミックスダウンしてトラックに記録されている音楽信号が、この新たな組み合わせに対応していない場合には、トラックに戻した音楽信号をミックスダウンしてミックスダウン録音用トラックに記録する。このミックスダウンした音楽信号群を考慮して、他の群の音楽信号を上記のセーブ領域から読み出して音楽パート録音用トラックに戻す。これらの一連の作業を１回または複数回繰り返して（２つの音楽信号群数の場合は１回、３つ以上の音楽信号群数では２回以上繰り返す）、最終的なミキシングを行う。
【００２７】
また、音楽信号群をミックスダウンするとき、操作者によって編集作業がなされ、フェーダの操作やエコー、左右バランス等のエフェクト操作がなされることがある。これらの情報は、請求項３に記載するように、音楽パートをセーブ領域に記録する際に、音楽パートに関連付けて同じくセーブ領域に読み出し可能に記録することができる。これら情報を記録しておき、音楽パートの読み出しに際し、安全な領域からフェクト情報を読み出し、これを再現可能とすることにより、ミキシングのやり直しに際し、編集者による編集作業の負担を大幅に軽減することができる。
【００２８】
上記ピンポン録音の方法は、請求項４に記載した装置により達成することができ、ミキシングのやり直しに際し、常に、ミックスダウンした音楽信号と、他の音楽パートの音楽信号とを再生して容易に最終ミキシングを行うことができる。該装置では、複数のトラック領域を有し、各トラックに形成された録音済みデータを任意に差し替えできる、ランダムアクセス可能な記録媒体を備えており、複数の音楽パートからなる音楽データを前記トラック領域に録音し、これをミックスダウンして予め確保した別トラックに録音するとともに、必要に応じてトラックにおける録音済みデータを差し替える。
差し替えに際しては、例えば上記トラック領域とは別にセーブ領域を確保しておき、トラックの音楽データをセーブ領域にセーブし、必要に応じてセーブ領域にセーブした音楽データをトラックに戻すことにより差し替えが可能となる。
セーブ領域は、上記記憶媒体に確保してもよく、また、上記記憶媒体とは異なる記憶媒体を用意し、これに確保するものでもよい。
【００２９】
上記記録媒体としては、前記したハードディスク等が挙げられる。該マルチトラックレコーダ手段では、通常は、アナログの音楽信号をデジタル化するＡ／Ｄコンバータ、デジタル信号をアナログ化するＤ／Ａコンバータ、デジタル信号の処理、出力を行うＤＳＰ（デジタルシグナルプロセッサ）等を有しており、所定のトラック数に対応した信号処理を行うことができる。該手段では、記憶媒体においてトラック領域とセーブ領域（異なる記憶媒体の場合も含む）の確保がなされ、また、トラック領域とセーブ領域における音楽信号の入出力の制御がなされており、これらはソフトウェアに従った制御により行うことができる。
【００３０】
また、本発明の装置は、マルチトラックレコーダ手段のトラックの再生信号をミキシングする第１のミキサー手段を有している。該ミキサー手段では、公知の技術等により複数の音楽信号をバランスをとるなどしてひとまとまりの信号にまとめる機能を有する。ひとまとまりの信号としては、例えば左右２チャンネルのステレオ信号が挙げられる。該第１のミキサー手段では、操作者の編集によって各パート毎にフェード操作やエコーなどのエフェクト操作を行うことができ、通常はこれらのエフェクト操作を経てミックスダウンした音楽信号が得られる。
【００３１】
なお、該第１のミキサー手段の入力側は、マルチトラックレコーダ手段の再生信号が入力されるが、通常は音楽パート録音用トラックに接続され、該トラックからの再生信号が入力される。また、出力側は、後述する第２のミキサー手段の入力側に接続され、第２のミキサー手段に別途入力されるトラックからの音楽信号とともにミックスダウンに供される。
さらに該第１のミキサー手段の出力側は請求項５に記載するように、前記記録媒体のトラックに接続することができ、これにより該第１のミキサー手段においてミックスダウンされた音楽信号を前記記録媒体のミックスダウン録音用トラックに録音することができる。該トラックは想定するパート群毎に予めミックスダウン用として確保されており、これにより既に録音されているミックスダウン音楽信号や音楽パート録音用トラックの音楽信号を消去する等して損なうようなことなく別トラックに録音することができる。
【００３２】
さらに本発明の装置では、マルチトラックレコーダ手段のトラックの再生信号と前記第１のミキサー手段の出力信号とをミキシングする第２のミキサー手段を有している。該第２のミキサーは２つのステレオ入力を１：１の比率でミキシングするだけで良いので、入力側のフェーダーや、エコーの操作手段は設けられていない。マスター・レコーダーに送り出す信号レベルを調節する為の、出力側フェーダーのみが設けられている。
第２のミキサー手段では、マルチトラックレコーダ手段のトラックの再生信号と前記第１のミキサー手段の出力信号とがミキシングされ、ミキシングされた信号は後述するマスタレコーダ手段に送出する。
なお、第２のミキサー手段の入力側は、通常は、ミックスダウン録音用トラックに接続されて、該トラックの再生信号が入力される。
また、第１のミキサー手段と、第２のミキサー手段とは、別個の装置として存在する他、一体になっているミキサー装置内でソフト制御等により区分して提供されるものであってもよい。
【００３３】
上記した第１のミキサー手段と第２のミキサー手段における入出力側の接続は、請求項７に記載するように、接続制御手段により行うことができる。該接続制御手段では、ソフトウェアによる手順に基づいて上記接続を制御することができる。
【００３４】
第２のミキサー手段で出力されるミキシングされた音楽信号は、マスタレコーダ手段により録音される。該マスタレコーダ手段に用いられる記録方法や記録媒体は特に限定されるものではなく、シーケンシャルにアクセスするものやランダムにアクセス可能な記録媒体のいずれでもよい。また、マルチトラックレコーダ手段に用いる記録媒体を利用することもできる。
【００３５】
【発明の実施の形態】
以下、この発明の実施形態を図１〜図６を参照して説明する。
図１は、実施形態で使用したピンポン録音のための装置の構成を示したブロック図である。装置は、ランダムアクセス可能な記録媒体としてハードディスクを備えたハードディスク方式のマルチトラックレコーダ手段（ＨＤ．ＭＴＲ）１０と、第１のミキシング手段２０と、第２のミキシング手段３０と、マスターレコーダ手段４０とを備えている。マルチトラックレコーダ手段１０と第１、第２のミキシング手段２０、３０は鎖線１で囲まれているようにミキサー一体型のマルチトラックレコーダ装置として、制御手段２で各手段間の接続を制御する。接続の制御は以下で説明するステップ毎に行われる。
【００３６】
マルチトラックレコーダ装置は、記憶媒体にハードディスクを用いており、外部からＡ／Ｄ変換されたディジタルオーディオ信号を入力され、ＤＳＰにて音量調節やイコライジング等の所定の処理を行った後、これをハードディスクに記録する。
ディジタルオーディオ信号は、ハードディスク上でディジタルオーディオデータが格納されているファイルとして記録され、保持される。
また、これと同時にディジタルオーディオファイルをＤＳＰが読み込み、これをディジタルオーディオデータとして再生し、これがＤ／Ａ変換され、オーディオ信号が外部に出力される。
従来の磁気テープを用いたマルチトラックレコーダと、操作上はほぼ等価な扱いになるが、トラック数はＤＳＰの処理能力、すなわちＤＳＰが同時に取り扱うことができるディジタルオーディオデータのチャンネル数によって決定される。よって、図１はマルチトラックレコーダの機能を仮想的に示したブロック図である。
このように、マルチトラックレコーダ装置は言わばハードディスクとＤＳＰを備えるコンピュータである。
勿論、周知のパソコンに周知のＯＳと、そのＯＳ上で動作するマルチトラックレコーダとしての機能を提供するソフトウェアを稼働させることによっても実現できる。
この実施形態においては、ＤＳＰの処理能力が同時再生可能トラック数として１６トラックの制約があるものとする。
よって、マルチトラックレコーダ手段１０は、１６トラック１１を仮想的に備えていると共に、セーブ領域１２を備えており、トラック１１とセーブ領域１２の間でデータをやりとりできるようにされている。
【００３７】
第１のミキシング手段２０は、複数の入力ライン２１（ここでは１２入力）と、１組のステレオ出力ライン２２とを備えている。また、第２のミキシング手段３０は、複数組（ここでは２組）のステレオ入力ライン３１と、１組のステレオ出力ライン３２を備えている。
マスターレコーダ手段４０は、１組のステレオ入力ライン４１を備えている。このレコーダ手段は、アナログ若しくはデジタルのテープ方式でも良いし、ディスク方式でも良い。
【００３８】
（実施形態１）
次に、上記のように構成されるピンポン録音のための装置を用いたこの発明のピンポン録音の方法の１例を各手段間の接続を図示した図２〜図６を参照して説明する。このピンポン録音では音楽パート１〜２４（図では丸数字で示す）の音楽信号をミキシングする。
【００３９】
（ステップ１）
マルチトラックレコーダ手段１０の第１〜１２トラック１１に、音楽信号の内、第１〜１２の音楽パートをそれぞれ別個に録音する。
（ステップ２）
マルチトラックレコーダ手段１０の第１〜１２トラック１１と第１のミキサー手段２０の入力ライン２１とを図２のように接続した状態で、第１〜１２トラック１１の音楽信号を同時に再生し、ミックスダウンして、第１３、１４トラック１１に録音する。
（ステップ３）
第１〜１２トラック１１に録音した第１〜１２パートの音楽信号のファイルをセーブ領域１２にセーブし、第１〜１２トラック１１の設定は白紙に戻して新たに録音できるようにする。
（ステップ４）
第１〜１２トラック１１に第１３〜２４パートを別個に録音する。
【００４０】
（ステップ５）
図３に示すように、第１〜１２トラック１１の再生音（第１３〜２４パート）を第１のミキサー手段２０の入力ライン２１に入力し、そのステレオ出力ライン２２をマルチトラックレコーダ手段１０の第１５、１６トラック１１に録音できるように接続する。また、第１のミキシング手段２０のステレオ出力ライン２２と、第１３、１４トラック１１の再生音を第２のミキシング手段３０のステレオ入力ライン３１にそれぞれ入力してミックスダウンできるようにし、第２のミキシング手段３０のステレオ出力ライン３２を録音できるようにマスターレコーダ手段４０のステレオ入力ライン４１に接続する。
【００４１】
（ステップ６）
第１〜１２パートをミックスダウンして録音したマルチトラックレコーダ手段１０の第１３、１４トラック１１と、第１〜１２トラック１１に録音された第１３〜２４パートを、同時に再生し、第２のミキシング手段３０でミキシングして２チャンネルステレオにまとめ、マスターレコーダ手段４０にミックスダウンする。これで、とりあえず作品が完成する。また、この時、第１３〜２４パートをミックスダウンした音を、第１５、１６トラック１１に録音しておく。
【００４２】
（ステップ７）
マスターレコーダ手段４０を再生し、作品を聞き直してチェックする。もし、第１３〜２４パートのミキシングバランスに不満を感じた場合は、ステップ６のミックスダウンをやり直す。もし、第１〜１２パートのミキシングバランスに不満を感じた場合は、ステップ８に進む。
【００４３】
（ステップ８）
第１〜１２トラック１１に録音した第１３〜２４パートの音楽信号のファイルをセーブ領域１２にセーブし、第１〜１２トラック１１に、ステップ３でセーブした第１〜１２パートの音楽信号のファイルをロードする。また、第１３、１４トラック１１の音楽信号ファイルは破棄して、この第１３、１４トラック１１に新たに録音できるようにする。
【００４４】
（ステップ９）
図４に示すように、第１〜１２トラック１１の再生音を第１のミキシング手段２０に入力し、そのステレオ出力２２を第１３、１４トラック１１に録音できるように接続する。また、それと平行して、第１のミキシング手段２０のステレオ出力２２と、第１５、１６トラック１１の再生音を第２のミキシング手段３０のステレオ入力ライン３１に入力し、そのステレオ出力ライン３２をマスターレコーダ手段４０のステレオ入力ライン４１に接続して録音できるようにする。また、この時、第１〜１２パートをミックスダウンした音を、第１３、１４トラック１１に再録音しておく。
【００４５】
（ステップ１０）
第１〜１２パートの録音された第１〜１２トラック１１と、第１３〜２４パートをミキシングした音が録音されている第１５、１６トラック１１を同時に再生し、第１〜１２パートのミックスダウンをやり直して、第１３、１４トラック１１に録音する。と同時に、第１〜１２トラック１１をミックスダウンした音と、第１５、１６トラックをミキシングした音をマスターレコーダ手段４０に録音する。
【００４６】
（ステップ１１）
マスターレコーダ手段４０で録音した音楽信号を再生し、作品を聞き直してチェックする。作品に不満が無ければ完成となる。
【００４７】
以上の手順によって、１６トラックのマルチトラックレコーダを使用して、２４パートの録音を行い、全パートの音を聞きながら納得の行くまでミックスダウン作業をやり直して、音楽作品を完成させることができる。
【００４８】
マルチトラックレコーダ手段１０と第１、第２のミキシング手段２０、３０が別々の構成の場合、接続の繋ぎ替えが非常に煩雑となるが、ミキサー一体型マルチトラックレコーダの場合は、制御手段２のソフトウエアによって接続の変更を自動化することでその欠点を回避し、１６トラックマルチトラックレコーダでありながら、あたかも２４トラックマルチトラックレコーダのような操作性を得ることができる。
【００４９】
また、この例では、１〜１２トラックを個別パート録音用、１３、１４トラック、および１５、１６トラックをピンポン録音用に割り当てることで、１２×２＝２４パートの録音が可能となったが、１〜１０トラックを個別パート録音用、１１、１２トラック、１３、１４トラック、および１５、１６トラックをピンポン録音用に割り当てれば、１０×３＝３０パートの録音が可能となる。
【００５０】
即ち、マルチトラックレコーダ手段１０のトラック数をＭ、第２のミキシング手段３０のステレオ入力３１の組（ペア）の数をＳ、トラックダウンのチャンネル数をＣとすると、拡張トラック数は、（Ｍ−Ｃ・Ｓ）・Ｓとなる。本実施形態では２チャンネルステレオでトラックダウンを行う例を説明したが、例えば５チャンネルサラウンドステレオ等では、トラックダウンチャンネル数は必要に応じて増えることとなる。
上記の式に従えば、例えば１６トラックを具備するマルチトラックレコーダで、ミックスダウンチャンネル数が２チャンネルステレオである場合、ペア数Ｓが２ならば、録音可能なトラック数は（１６−２・２）・２＝２４トラックとなる。ペア数Ｓを３にすると、（１６−３・２）・３＝３０トラックとなる。
【００５１】
なお、図２のステップ３の説明において、第１〜第１２トラック１１に録音した第１〜第１２パートの音楽信号のファイルをセーブ領域１２へ保存してから、第１〜第１２トラック１１の設定を白紙に戻すように構成していたが、第１〜第１２パートの音楽信号のファイルをセーブ領域１２に移動するように、マルチトラックレコーダ手段１０を構成することもできる。
この場合、セーブ領域１２はマルチトラックレコーダ手段１０の図示しないハードディスクに構成されるファイルシステム上で同一の領域であり、各トラック毎の音楽信号のファイルのファイル名がユニークであれば良い。
【００５２】
また、図２のステップ３の説明において、第１〜第１２トラック１１に録音した第１〜第１２パートの音楽信号のファイルをセーブ領域１２へ保存してから、第１〜第１２トラック１１の設定を白紙に戻すように構成していたが、セーブ領域１２は必ずしも同一の物理的な記録媒体上にある必要は無く、例えば、マルチトラックレコーダ手段１０とネットワークを介して接続される記憶手段であっても良い。
【００５３】
（実施形態２）
また、この実施形態では、音楽パート群をセーブ領域にセーブしたものと、読み出すものとを同一のものとしたが、上記装置を用いて音楽パートの組み合わせを変更する場合について説明する。また、この実施形態では、ミキシングの際になされた編集作業におけるフェーダ操作やエコー操作等のエフェクト情報を、音楽信号とともにセーブ領域に記録している。なお、この実施形態でもステップ６までは上記実施形態と同様であるので、それ以降のステップ（ステップ２０以降）について説明する。
【００５４】
（ステップ２０）
このステップ２０では、特定の音楽パート間でのバランスが悪いため、組み合わせを変えて安全な領域から音楽パートを読み出し、これをトラック１〜１２に録音する。このとき、バランスに問題のない音楽パートを先に選択して読み出すのが望ましい。また、このときには各音楽パートに対応するエフェクト情報を読み出して再現可能とする。例えば音楽パート１〜６、１３〜１８を呼び出す。
【００５５】
（ステップ２１）
次いで、エフェクト情報を再現しつつ上記音楽パートを再生し、ミックスダウンしてトラック１３、１４に録音する。このときトラック１３、１４に先に記録されていた音楽信号は消去する。
【００５６】
（ステップ２２）
トラック１〜１２にある音楽信号は消去し、残りの音楽パート、例えばパート７〜１２、１９〜２４をセーブ領域１２から読み出し、トラック１〜１２に録音する。このときには上記と同様に音楽パートに対応するエフェクト情報をセーブ領域から読み出し、再現可能とする。
【００５７】
（ステップ２３）
トラック１〜１２にある音楽信号をエフェクト情報を再現しながら再生する。この際には、ステップ２１で録音した、トラック１３、１４にあるミックスダウン音楽信号も再生して最終的なミキシングを行う。
【００５８】
この実施形態では、全ての音楽パートをモニターしながらミックスダウン作業を行えるものではないが、ミックスダウンのやり直しの際に、音楽パートを組み替えて作業を行うことができるという特徴がある。また、エフェクト情報を再現しながらミックスダウンのやり直しができるので、ミキシング作業を効率的に行うことを可能にする。なお、エフェクト情報の再現は、当然に音楽パートを組み替える形態に限定されるものではなく、実施形態１においても同様に適用が可能である。
【００５９】
【発明の効果】
以上に説明の通り、この発明によれば、ピンポン録音のミックスダウン作業のやり直し時に、全ての音楽パートをモニターしながら、ミックスダウン作業を行うことができるので、ミキシングのミスを防ぐことができ、安価な機材でより高い完成度の音楽作品を制作できるようになる。
【００６０】
ミキサー一体型のマルチトラックレコーダ以外に、別個のミキサーとマルチトラックレコーダーの場合でも、ＭＩＤＩ等の通信手段で両者のＣＰＵを通信させて、ミキサーの信号経路切り替えと、マルチトラックレコーダのファイル入れ替えの動作を一体化させれば、同様の効果を得ることができる。
【図面の簡単な説明】
【図１】  この発明のピンポン録音をするための装置の一実施形態の構成を示したブロック図である。
【図２】  この発明のピンポン録音の方法の一実施形態におけるステップ２の接続図である。
【図３】  同じく、ステップ５の接続図である。
【図４】  同じく、ステップ９の接続図である。
【図５】  同じくピンポン録音の手順を示すフロー図である。
【図６】  同じくピンポン録音の手順を示すフロー図である。
【図７】  従来のマルチトラックレコーダによるミキシング装置のブロック図である。
【図８】  同じくピンポン録音の手順を示すフロー図である。
【図９】  従来のハードディスク方式のマルチトラックレコーダを用いたピンポン録音の手順を示すフロー図である。
【図１０】  同じくピンポン録音の手順を示すフロー図である。
【符号の説明】
２            制御手段
１０          マルチトラックレコーダ手段
１１          トラック
１２          セーブ領域
２０          第１のミキシング手段
２１          入力ライン
２２          ステレオ出力ライン
３０          第２のミキシング手段
３１          ステレオ入力ライン
３２          ステレオ出力ライン
４０          マスターレコーダ手段
４１          ステレオ入力ライン
【図１】
0004003419.tif 000002
【図２】
0004003419.tif 000003
【図３】
0004003419.tif 000004
【図４】
0004003419.tif 000005
【図５】
0004003419.tif 000006
【図６】
0004003419.tif 000007
【図７】
0004003419.tif 000008
【図８】
0004003419.tif 000009
【図９】
0004003419.tif 000010
【図１０】
0004003419.tif 000011